(57)【特許請求の範囲】
【請求項１】
外面に特定方向に延在して設けられた溝部を有し、内部に内部回路を有する機器本体と、
前記機器本体の前記溝部に対して着脱可能に構成されたコネクタ部と、
を備え、
前記コネクタ部は、外部機器に接続するための互いに異なる複数の種類の機能部と、前記機能部に接続された第１の端子群と、を有し、
前記機器本体は、前記溝部の内面に露出し、前記溝部に装着される前記コネクタ部の前記第１の端子群に接触して、前記機能部と前記内部回路とを電気的に接続する第２の端子群を有し、
前記コネクタ部の前記機器本体に対する装着状態に応じて前記複数の機能部の種類を認識することを特徴とする電子機器。
【請求項２】
前記機能部は、互いに異なる複数の種類の汎用のインターフェース規格の何れかに対応し、
前記コネクタ部は、前記機能部が対応する前記汎用のインターフェース規格の種類を示す第３の端子群を有し、
前記機器本体は、前記溝部の内面に露出し、前記溝部に装着される前記コネクタ部の前記第３の端子群に接触して、前記機能部の前記種類を認識するための第４の端子群を有し、
前記機器本体は、前記第３の端子群と前記第４の端子群との接触状態に基づいて前記機能部の前記種類を認識して、前記機能部の前記種類に応じて、前記第１の端子群と前記内部回路との接続関係を切り替えることを特徴とする請求項１に記載の電子機器。
【請求項３】
前記コネクタ部の前記機能部は、有線通信における互いに異なる複数の種類の汎用のインターフェース規格の何れかに対応したプラグ部を有し、
前記コネクタ部を前記溝部に装着して、前記コネクタ部を前記溝部の前記特定方向に沿ってスライドさせることにより、前記機器本体から前記プラグ部を突出させて、突出させた前記プラグ部を前記外部機器に挿入して、前記外部機器と直接接続することを特徴とする請求項１または２に記載の電子機器。
【請求項４】
前記コネクタ部の前記機能部は、無線通信における互いに異なる複数の種類の汎用のインターフェース規格の何れかに対応したアンテナ素子を有し、
前記コネクタ部を前記溝部に装着することにより、対応する前記汎用のインターフェース規格の無線通信方式で前記外部機器と接続することを特徴とする請求項１または２に記載の電子機器。
【請求項５】
前記コネクタ部の前記機能部は、有線通信における互いに異なる複数の種類の汎用のインターフェース規格の何れかに対応して、板状の絶縁性部材の一面側に前記第１の端子群が露出して配置された構成を有し、
前記コネクタ部を前記溝部に装着して、前記コネクタ部を前記溝部の前記特定方向に沿ってスライドさせることにより、前記機器本体から前記機能部を突出させて、突出させた前記機能部を前記外部機器に挿入して、前記外部機器と直接接続することを特徴とする請求項１または２に記載の電子機器。
【請求項６】
前記コネクタ部は、前記板状の絶縁性部材の所定の位置に設けられた突起部を有し、
前記突起部は、前記コネクタ部の前記機能部を前記外部機器に挿入する際に、前記コネクタ部を正規の方向ではない向きに挿入できなくする形状及び寸法に設定されていることを特徴とする請求項５に記載の電子機器。
【発明の詳細な説明】
【技術分野】
【０００１】
本発明は、データ等の送受信や給電のために様々な外部機器と接続される機構を備えた電子機器に関する。
【背景技術】
【０００２】
近年、パーソナルコンピュータ（ＰＣ）をはじめ、スマートフォンやタブレット端末、生体情報の収集を目的としたウェアラブル端末等の普及により、様々な電子機器間で各種のデータや情報を送受信することが行われている。また、携帯可能な（モバイル型の）電子機器の普及により、機器に内蔵された二次電池（充電池）への充電等のための給電も頻繁に行なわれている。
【０００３】
このような電子機器間でのデータ等の送受信（以下、「データ伝送」と記す）や給電においては一般に、有線ケーブルを使用する手法や無線通信を用いた手法が知られている。例えば特許文献１には、ＰＣと他の電子機器との間のデータ伝送や給電に、ＵＳＢ（Universal Serial Bus）ケーブルを使用することが開示されている。また、例えば特許文献２には、ブルートゥース（Bluetooth（登録商標））等の通信規格による無線通信技術を用いて、データ伝送を行うことが開示されている。
【先行技術文献】
【特許文献】
【０００４】
【特許文献１】特開２０００−３３９０６７号公報
【特許文献２】特開２００１−２５１３３５号公報
【発明の概要】
【発明が解決しようとする課題】
【０００５】
上述した特許文献等に開示された手法においては、電子機器間のデータ伝送や給電を行う際に、通信ケーブルを常備しておく必要があるうえ、電気機器相互を通信ケーブルにより接続する操作が必要であり、機器使用者（ユーザ）にとって取り扱いが煩わしいという問題を有していた。特に、データ伝送や給電に使用する通信ケーブルの形状や仕様は、電子機器のメーカや通信規格等により異なっていることが多いため、複数の電子機器を有している場合には、異なる種類の複数の通信ケーブルを常備して、接続し直したり差し替えたりしなければいけないという問題を有していた。
【０００６】
また、無線通信により電子機器間のデータ伝送を行う場合には、電子機器に無線通信に対応した機能部をあらかじめ内蔵する必要があり、電子機器が大型化したり構造が複雑化したりするうえ、製品コストにも影響を与えるという問題を有していた。
【０００７】
そこで、本発明は、上述した問題点に鑑み、通信ケーブルを使用しない簡易な構成で、様々な外部機器に適切に接続することができ、良好にデータ伝送や給電を行うことができる電子機器を提供することを目的とする。
【課題を解決するための手段】
【０００８】
本発明に係る電子機器は、
外面に特定方向に延在して設けられた溝部を有し、内部に内部回路を有する機器本体と、
前記機器本体の前記溝部に対して着脱可能に構成されたコネクタ部と、
を備え、
前記コネクタ部は、外部機器に接続するための互いに異なる複数の種類の機能部と、前記機能部に接続された第１の端子群と、を有し、
前記機器本体は、前記溝部の内面に露出し、前記溝部に装着される前記コネクタ部の前記第１の端子群に接触して、前記機能部と前記内部回路とを電気的に接続する第２の端子群を有し、
前記コネクタ部の前記機器本体に対する装着状態に応じて前記複数の機能部の種類を認識することを特徴とする。
【発明の効果】
【０００９】
本発明によれば、通信ケーブルを使用しない簡易な構成で、様々な外部機器に適切に接続することができ、良好にデータ伝送や給電を行うことができる。
【図面の簡単な説明】
【００１０】
【図１】本発明に係る電子機器の第１の実施形態を示す概略構成図である。
【図２】第１の実施形態に係る電子機器の第１の具体例を示す構成図である。
【図３】第１の実施形態に係る電子機器の第２の具体例を示す構成図である。
【図４】第１の実施形態に係る電子機器の第３の具体例を示す構成図である。
【図５】第１の実施形態に係る電子機器の第４の具体例を示す構成図である。
【図６】第２の実施形態に係る電子機器の一具体例を示す構成図である。
【図７】第３の実施形態に係る電子機器を説明するための図である。
【図８】第３の実施形態の第２の具体例におけるコネクタ部の認識処理及び入出力ポートの切替処理を説明するための概略構成図である。
【図９】第３の実施形態の第２の具体例に係る電子機器におけるコネクタ部の装着、スライド状態の例（第１〜第４の例）を示す概略図である。
【図１０】第４の実施形態に係る電子機器の一具体例を示す構成図である。
【図１１】第４の実施形態に係る電子機器に適用されるコネクタ部のスライド機構の一例を示す概略構成図である。
【図１２】第４の実施形態に係る電子機器に適用される接続端子構造の一例を示す構成図である。
【図１３】第４の実施形態に係る電子機器の変形例を示す構成図である。
【発明を実施するための形態】
【００１１】
以下、本発明に係る電子機器について、実施形態を示して詳しく説明する。
＜第１の実施形態＞
図１は、本発明に係る電子機器の第１の実施形態を示す概略構成図である。図１（ａ）は本実施形態に係る電子機器と他の電子機器との接続方法を示す概略図であり、図１（ｂ）は電子機器の内部回路を示す概略ブロック図である。ここでは、本発明に係る電子機器を、モーションセンサを備えた運動データ収集装置（いわゆる、ロガー）に適用し、運動データの解析装置となるパーソナルコンピュータ等の電子機器（以下、「外部機器」と記す）に接続してデータ伝送を行うとともに、二次電池への給電を受ける場合について実施形態を示す。なお、本発明はこの実施形態に限定されるものではなく、様々な外部機器との間でデータ伝送や給電を行うものであれば良好に適用することができる。
【００１２】
第１の実施形態に係る電子機器は、例えば図１（ａ）に示すように、機器使用者（ユーザ）の運動中等の各種のセンサデータを収集する電子機器１００であって、パーソナルコンピュータ等の外部機器２００のプラグ挿入部２１０に、電子機器１００の機器本体１１０から突出するプラグ構造を有するコネクタ部１２０を挿入することにより、電子機器１００と外部機器２００が電気的に接続される。ここで、本実施形態においては、コネクタ部１２０が有線通信による汎用のインターフェース（Ｉ／Ｆ）規格に対応したプラグ形状を有している。
【００１３】
本実施形態に係る電子機器１００は、例えば図１（ｂ）に示すように、加速度センサ１０、ジャイロセンサ２０、磁気センサ３０を備え、ＣＰＵ４０により所定の制御プログラムを実行することにより、ユーザの運動中のセンサデータ（加速度や角速度、地磁気等）を測定してメモリ５０に蓄積する。電子機器１００は、コネクタ部１２０を介して外部機器２００に接続されることにより、外部機器２００からの指示に応じてメモリ５０に蓄積されたセンサデータを、通信Ｉ／Ｆ回路６０を介して外部機器２００に転送する。また、電子機器１００は、充電Ｉ／Ｆ回路９０を介して外部機器２００から供給される電力を電源回路７０により二次電池８０に充電する。二次電池８０に充電された電力は、電源回路７０により電子機器１００の各部に駆動電力として供給される。
【００１４】
このような電子機器１００は、例えば胸部や頸部、腹部等の人体の中心を通る体軸上や体幹に沿った位置に装着される。その装着方法としては、例えばトレーニングウェアにクリップで挟み込む形態やテープ部材等で貼り付ける形態、ベルト等により体に巻き付ける形態等、種々の手法が適用される。
【００１５】
（第１の具体例）
次に、本実施形態に係る電子機器の具体的な構成について説明する。
図２は、本実施形態に係る電子機器の第１の具体例を示す構成図である。図２（ａ）は、電子機器の機器本体を示す平面図であり、図２（ｂ）は、電子機器のコネクタ部を示す平面図であり、図２（ｃ）は、機器本体へのコネクタ部の装着方法を示す斜視図である。また、図２（ｄ）、（ｅ）は、コネクタ部の装着状態を示す斜視図及び平面図であり、図２（ｆ）、（ｇ）は、コネクタ部のスライド状態を示す斜視図及び平面図である。
【００１６】
本実施形態の第１の具体例に係る電子機器は、例えば図２（ａ）〜（ｃ）に示すように、本体ケース１１１外面の一面側に、特定方向（図２（ａ）の上下方向）に直線状に延在するスライド溝（溝部）１１３が設けられた機器本体１１０と、機器本体１１０のスライド溝１１３に対して着脱可能に構成され、外部機器２００に直接接続するためのプラグ部（機能部）１２３を備えたコネクタ部１２０と、を有している。
【００１７】
機器本体１１０は、例えば図１（ｂ）に示した内部回路を有し、例えば図２（ａ）、（ｃ）に示すように、スライド溝１１３の内面に、少なくとも通信Ｉ／Ｆ回路６０の通信用接続端子（D-、D+）１１２ｂ、１１２ｃ、及び、充電Ｉ／Ｆ回路９０の給電用接続端子（Vbus、GND）１１２ａ、１１２ｄの４端子（以下、「接続端子１１２」と総称する；第１の端子群）が露出している。ここで、接続端子１１２は、後述するように、コネクタ部１２０に設けられた接続端子１２２に接触して電気的に接続される構成を有しているものであればよく、例えば本体ケース１１１に板状の電極の一部が露出するように埋め込まれているものであってもよいし、また、バネ材やスプリング等の弾性部材により、電極の一部が本体ケース１１１表面から弾性的に突出するように構成されているものであってもよい。
【００１８】
また、機器本体１１０のスライド溝１１３の内部には、コネクタ部１２０が装着された状態及びプラグ部１２３が機器本体１１０から突出した終端位置にスライドされた状態において、コネクタ部１２０が簡易に脱落しないように保持するための機構（脱落防止機構）、及び、コネクタ部１２０をスライド溝１１３の延在方向に沿って、装着位置（始端位置）から終端位置までスライドさせるための機構（スライド機構）が設けられている。なお、本発明に係る電子機器１００に適用される脱落防止機構及びスライド機構については、後述する実施形態において詳述する。
【００１９】
コネクタ部１２０は、例えば図２（ｂ）、（ｃ）に示すように、コネクタ本体１２１とプラグ部１２３とを有し、コネクタ本体１２１の一面側には、少なくとも通信用接続端子１２２ｂ、１２２ｃ、及び、給電用接続端子１２２ａ、１２２ｄの４端子（以下、「接続端子１２２」と総称する；第２の端子群）が露出している。これらの接続端子１２２は、コネクタ本体１２１から突出して設けられたプラグ部１２３に電気的に接続されている。プラグ部１２３は、有線通信における汎用のインターフェース規格であるＵＳＢ ＴＹＰＥ−Ａ型のプラグ形状を有している。ここで、接続端子１２２は、上述した機器本体１１０に設けられた接続端子１１２に接触して電気的に接続される構成を有しているものであればよい。具体的には、機器本体１１０に設けられる接続端子１１２が、例えば本体ケース１１１表面から電極の一部が弾性的に突出する構成を有する場合には、コネクタ部１２０に設けられる接続端子１２２は、例えばコネクタ本体１２１に板状の電極の一部が露出するように埋め込まれた構成を適用することができる。また、機器本体１１０に設けられる接続端子１１２が、例えば本体ケース１１１に板状の電極の一部が露出するように埋め込まれた構成を有する場合には、コネクタ部１２０に設けられる接続端子１２２は、例えばコネクタ本体１２１表面から電極の一部が弾性的に突出する構成を適用することができる。
【００２０】
このような構成を有する電子機器１００において、まず、ユーザは、図２（ｃ）、（ｄ）に示すように、運動中等のセンサデータを収集した機器本体１１０にコネクタ部１２０を装着する。具体的には、機器本体１１０の本体ケース１１１に設けられたスライド溝１１３の内面に、コネクタ部１２０のコネクタ本体１２１の外面が当接して係合するように嵌め込むことにより、コネクタ部１２０が機器本体１１０に装着される。この装着状態においては、図２（ｄ）、（ｅ）に示すように、コネクタ部１２０は、プラグ部１２３が機器本体１１０から突出しない、スライド溝１１３の初期位置にあって、コネクタ部１２０の接続端子１２２と、機器本体１１０の接続端子１１２は相互に離間して接触しておらず、電気的に接続されていない。
【００２１】
次いで、ユーザは、図２（ｆ）、（ｇ）に示すように、機器本体１１０に装着されたコネクタ部１２０をスライドさせる。具体的には、スライド溝１１３の内面に沿ってコネクタ本体１２１の外面を摺動させることにより（図中、矢印で表記）、コネクタ部１２０がスライド溝１１３の延在方向に沿って、終端位置までスライドする。ここで、コネクタ部１２０は、スライド溝１１３の内面及びコネクタ本体１２１の外面に設けられた脱落防止機構により、スライド溝１１３に装着された状態、及び、スライド状態（すなわち、コネクタ部１２０のスライド中、及び、終端位置）において、本体ケース１１１から脱落しないように係合されている。
【００２２】
このスライドの終端位置においては、図２（ｆ）、（ｇ）に示すように、少なくともコネクタ部１２０のプラグ部１２３が機器本体１１０（本体ケース１１１）の端部から、外部機器２００との接続に必要な所定の寸法だけ突出する。また、図２（ｆ）、（ｇ）に示すように、コネクタ部１２０の各接続端子１２２と機器本体１１０の各接続端子１１２が１対１の関係で接触して、それぞれ電気的に接続される。具体的には、図２（ａ）、（ｂ）に示した機器本体１１０の各通信用接続端子（D-、D+）１１２ｂ、１１２ｃが、それぞれコネクタ部１２０の各通信用接続端子１２２ｂ、１２２ｃに電気的に接続され、また、機器本体１１０の各給電用接続端子（Vbus、GND）１１２ａ、１１２ｄが、それぞれコネクタ部１２０の各給電用接続端子１２２ａ、１２２ｄに電気的に接続される。これにより、機器本体１１０の内部回路とコネクタ部１２０のプラグ部１２３とが電気的に接続された状態となる。そして、ユーザが、図１（ａ）に示したように、コネクタ部１２０のプラグ部１２３を外部機器２００のプラグ挿入部２１０に直接挿入して接続することにより、通信ケーブル等を使用することなく簡易な構成で、電子機器１００と外部機器２００との間で良好にデータ伝送を行うことができるとともに、外部機器２００から供給される電力を電子機器１００に良好に充電することができる。
【００２３】
（第２の具体例）
次に、本実施形態に係る電子機器の第２の具体例について説明する。
図３は、本実施形態に係る電子機器の第２の具体例を示す構成図である。図３（ａ）は、電子機器の機器本体を示す平面図であり、図３（ｂ）は、電子機器のコネクタ部を示す平面図であり、図３（ｃ）は、機器本体へのコネクタ部の装着方法を示す斜視図である。また、図３（ｄ）、（ｅ）は、コネクタ部の装着状態を示す斜視図及び平面図であり、図３（ｆ）、（ｇ）は、コネクタ部のスライド状態を示す斜視図及び平面図である。ここで、上述した第１の具体例と同等の構成については説明を簡略化する。
【００２４】
第２の具体例に係る電子機器においては、例えば図３（ａ）、（ｃ）に示すように、機器本体１１０は、第１の具体例と同等の構成を有するスライド溝１１３の内面に、少なくとも通信用接続端子（D-、D+）１１２ｂ、１１２ｃ、及び、給電用接続端子（Vbus、GND）１１２ａ、１１２ｄに加え、通信Ｉ／Ｆ回路６０の通信用接続端子（ID）１１２ｅを含めた５端子（以下、「接続端子１１２」と総称する）が露出した構成を有している。
【００２５】
また、コネクタ部１２０は、例えば図３（ｂ）、（ｃ）に示すように、コネクタ本体１２１の一面側に、少なくとも通信用接続端子１２２ｂ、１２２ｃ、及び、給電用接続端子１２２ａ、１２２ｄに加え、通信用接続端子１２２ｅを含めた５端子（以下、「接続端子１２２」と総称する）が露出した構成を有している。プラグ部１２３は、有線通信における汎用のインターフェース規格であるＵＳＢ ＴＹＰＥ−ｍｉｎｉＢ型のプラグ形状を有し、上記の接続端子１２２に電気的に接続されている。
【００２６】
このような構成を有する電子機器１００において、上述した第１の具体例と同様に、図３（ｃ）〜（ｅ）に示すように、ユーザは機器本体１１０のスライド溝１１３にコネクタ部１２０を装着し、次いで、図３（ｆ）、（ｇ）に示すように、プラグ部１２３が機器本体１１０の端部から突出するようにコネクタ部１２０を終端位置までスライドさせる。これにより、コネクタ部１２０の各接続端子１２２と機器本体１１０の各接続端子１１２が１対１の関係で接触して、それぞれ電気的に接続され、機器本体１１０の内部回路とコネクタ部１２０のプラグ部１２３とが電気的に接続された状態となる。そして、ユーザが、コネクタ部１２０のプラグ部１２３を外部機器２００のＵＳＢ ＴＹＰＥ−ｍｉｎｉＢ型のプラグ挿入部２１０に直接挿入して接続することにより、通信ケーブル等を使用することなく簡易な構成で、電子機器１００と外部機器２００との間のデータ伝送や給電（充電）を良好に行うことができる。
【００２７】
また、このような構成を有する電子機器１００においては、機器本体１１０のスライド溝１１３の内面に露出する５端子のうち、４端子（１１２ａ〜１１２ｄ）の配置及び機能が、第１の具体例に示した接続端子１１２、１２２と同一である。したがって、本具体例の機器本体１１０のスライド溝１１３に、第１の具体例に示した、ＵＳＢ ＴＹＰＥ−Ａ型のプラグ形状のプラグ部１２３を有するコネクタ部１２０を装着することにより、電子機器１００とＵＳＢ ＴＹＰＥ−Ａ型のプラグ挿入部２１０を有する外部機器２００との間でもデータ伝送や給電（充電）を行うことができる。すなわち、本実施形態に係る電子機器は、接続対象となる外部機器２００のインターフェース規格や種類に応じて、異なるプラグ形状のプラグ部１２３を有する複数のコネクタ部１２０の中から、適合するコネクタ部１２０を選択して装着する、いわゆる交換アダプタ構造を有している。これにより、外部機器２００のインターフェース規格等に制限されたり、変換ケーブル等を必要としたりすることなく、コネクタ部１２０を交換して装着し直す簡易な操作により、インターフェース規格の異なる複数の外部機器に対しても良好に接続することができる。
【００２８】
（第３の具体例）
次に、本実施形態に係る電子機器の第３の具体例について説明する。
図４は、本実施形態に係る電子機器の第３の具体例を示す構成図である。図４（ａ）は、電子機器の機器本体を示す平面図であり、図４（ｂ）は、電子機器のコネクタ部を示す平面図であり、図４（ｃ）は、コネクタ部の内部配線の例を示す図である。また、図４（ｄ）、（ｅ）は、コネクタ部の第１の装着、スライド状態を説明するための図であり、図４（ｆ）、（ｇ）は、コネクタ部の第２の装着、スライド状態を説明するための図である。ここで、上述した第１又は第２の具体例と同等の構成については説明を簡略化する。
【００２９】
第３の具体例に係る電子機器においては、例えば図４（ａ）に示すように、機器本体１１０は、第２の具体例と同等の構成を有し、スライド溝１１３の内面に、接続端子１１２（通信用接続端子１１２ｂ、１１２ｃ、１１２ｅ、及び、給電用接続端子１１２ａ、１１２ｄ）が露出した構成を有している。コネクタ部１２０は、例えば図４（ｂ）に示すように、コネクタ本体１２１の対向する両端面（図面上面と下面）から、それぞれ異なるプラグ形状を有するプラグ部１２３ａ、１２３ｂが突出して設けられた構成を有している。具体的には、プラグ部１２３ａは、汎用のインターフェース規格であるＵＳＢ ＴＹＰＥ−Ａ型のプラグ形状を有し、プラグ部１２３ｂは、ＵＳＢ ＴＹＰＥ−ｍｉｎｉＢ型のプラグ形状を有している。また、コネクタ部１２０は、例えば図４（ｂ）に示すように、コネクタ本体１２１の一面側に、第２の具体例と同等の接続端子１２２が露出した構成を有している。プラグ部１２３ａ、１２３ｂと接続端子１２２との接続関係は、例えば図４（ｃ）に示すように、通信用接続端子１２２ｂ、１２２ｃがそれぞれプラグ部１２３ａ、１２３ｂの通信用端子電極（D-、D+）に、また、給電用接続端子１２２ａ、１２２ｄがそれぞれプラグ部１２３ａ、１２３ｂの給電用端子電極（Vbus、GND）に、また、通信用接続端子１２２ｅがプラグ部１２３ｂの通信用端子電極（ID）に、内部配線により接続されている。
【００３０】
このような構成を有する電子機器１００において、外部機器２００のＵＳＢ ＴＹＰＥ−Ａ型のプラグ挿入部２１０に電子機器１００を直接接続する場合には、ユーザは第１の具体例に示した場合と同様に、コネクタ部１２０のプラグ部１２３ａを機器本体１１０のスライド溝１１３の突出側（図４（ａ）又は図４（ｅ）の上方側）に向けた状態で、スライド溝１１３にコネクタ部１２０を装着する。そして、ユーザは図４（ｄ）、（ｅ）に示すように、プラグ部１２３ａが機器本体１１０の端部から突出するようにコネクタ部１２０を終端位置までスライドさせる。これにより、プラグ部１２３ａの各端子電極に接続されたコネクタ部１２０の各接続端子１２２（１２２ａ〜１２２ｄの４端子）と機器本体１１０の各接続端子１１２（１１２ａ〜１１２ｄの４端子）が１対１の関係で接触して、機器本体１１０の内部回路とコネクタ部１２０のプラグ部１２３ａとが電気的に接続された状態となる。
【００３１】
一方、外部機器２００のＵＳＢ ＴＹＰＥ−ｍｉｎｉＢ型のプラグ挿入部２１０に電子機器１００を直接接続する場合には、ユーザは第２の具体例に示した場合と同様に、コネクタ部１２０のプラグ部１２３ｂを機器本体１１０のスライド溝１１３の突出側（図４（ａ）又は図４（ｇ）の上方側）に向けた状態で、スライド溝１１３にコネクタ部１２０を装着する。そして、ユーザは図４（ｆ）、（ｇ）に示すように、プラグ部１２３ｂが機器本体１１０の端部から突出するようにコネクタ部１２０を終端位置までスライドさせる。これにより、プラグ部１２３ｂの各端子電極に接続されたコネクタ部１２０の各接続端子１２２（１２２ａ〜１２２ｅの５端子）と機器本体１１０の各接続端子１１２（１１２ａ〜１１２ｅの５端子）が１対１の関係で接触して、機器本体１１０の内部回路とコネクタ部１２０のプラグ部１２３ｂとが電気的に接続された状態となる。
【００３２】
すなわち、本具体例においては、単一のコネクタ部１２０を、機器本体１１０のスライド溝１１３に装着する際に、コネクタ部１２０のプラグ部１２３ａ、１２３ｂの向きを変えることにより、外部機器２００のプラグ挿入部２１０に対応したプラグ形状を有するプラグ部１２３ａ、１２３ｂを機器本体１１０から突出させることができる。これにより、通信ケーブル等を使用することなく簡易な構成で、インターフェース規格の異なる複数の外部機器２００に電子機器１００を直接接続して、両者間でデータ伝送や給電（充電）を良好に行うことができる。
【００３３】
なお、本具体例においては、コネクタ本体１２１から突出して設けられたプラグ部１２３ａ、１２３ｂとして、それぞれＵＳＢ ＴＹＰＥ−Ａ型のプラグ形状、及び、ＵＳＢ ＴＹＰＥ−ｍｉｎｉＢ型のプラグ形状を有している場合について示したが、本具体例はこれに限定されるものではない。すなわち、コネクタ部に適用されるプラグ部は、互いに異なるプラグ形状を有するものであれば、他のインターフェース規格を適用するものであってもよい。
【００３４】
（第４の具体例）
次に、本実施形態に係る電子機器の第４の具体例について説明する。
図５は、本実施形態に係る電子機器の第４の具体例を示す構成図である。図５（ａ）は、電子機器の機器本体を示す平面図であり、図５（ｂ）は、電子機器のコネクタ部を示す平面図であり、図５（ｃ）は、機器本体へのコネクタ部の装着方法を示す斜視図である。また、図５（ｄ）、（ｅ）は、コネクタ部の装着状態を示す斜視図及び平面図であり、図５（ｆ）、（ｇ）は、コネクタ部のスライド状態を示す斜視図及び平面図である。ここで、上述した各具体例と同等の構成については説明を簡略化する。
【００３５】
第４の具体例に係る電子機器においては、例えば図５（ａ）、（ｃ）に示すように、機器本体１１０は、本体ケース１１１に設けられたスライド溝１１３の内面に、少なくとも通信用接続端子（TPA+、TPA-、TPB+、TPB-）１１２ｆ〜１１２ｉ、及び、給電用接続端子（Vbus、GND）１１２ａ、１１２ｄの６端子（以下、「接続端子１１２」と総称する）が露出した構成を有している。
【００３６】
また、コネクタ部１２０は、例えば図５（ｂ）、（ｃ）に示すように、コネクタ本体１２１の一面側に、少なくとも通信用接続端子１２２ｆ〜１２２ｉ、及び、給電用接続端子１２２ａ、１２２ｄの６端子（以下、「接続端子１２２」と総称する）が露出した構成を有している。これらの接続端子１２２は、シリアル有線通信における汎用のインターフェース規格であるＩＥＥＥ１３９４に対応したプラグ形状を有するプラグ部１２３に電気的に接続されている。
【００３７】
このような構成を有する電子機器１００においても、上述した各具体例と同様に、図５（ｃ）〜（ｅ）に示すように、ユーザが機器本体１１０のスライド溝１１３にコネクタ部１２０を装着し、図５（ｆ）、（ｇ）に示すように、コネクタ部１２０を終端位置までスライドさせる。これにより、プラグ部１２３が機器本体１１０の端部から突出するとともに、コネクタ部１２０の各接続端子１２２と機器本体１１０の各接続端子１１２が１対１の関係で接触して、機器本体１１０の内部回路とコネクタ部１２０のプラグ部１２３とが電気的に接続された状態となる。したがって、ＩＥＥＥ１３９４規格のプラグ挿入部２１０を有する外部機器２００に対して、通信ケーブル等を使用することなく簡易な構成で、電子機器１００と外部機器２００とを直接接続することができ、両者間でデータ伝送や給電を良好に行うことができる。
【００３８】
また、このような構成を有する電子機器１００においては、機器本体１１０のスライド溝１１３の内面に、ＩＥＥＥ１３９４に対応した接続端子（１１２ａ、１１２ｄ、１１２ｆ〜１１２ｉの６端子）に加え、例えば上述した各具体例と同様の配置及び機能を有する接続端子（１１２ｂ、１１２ｃ、１１２ｅ）を設けた構成を適用することもできる。これによれば、各具体例に示したＵＳＢ ＴＹＰＥ−Ａ型やＵＳＢ ＴＹＰＥ−ｍｉｎｉＢ型のプラグ形状のプラグ部１２３を有するコネクタ部１２０に交換して装着し直すことにより、ＩＥＥＥ１３９４規格だけでなく、他のインターフェース規格を有する外部機器２００に対しても電子機器１００を直接接続して、両者間でデータ伝送や給電（充電）を良好に行うことができる。
【００３９】
なお、本実施形態においては、コネクタ本体１２１から突出して設けられたプラグ部１２３として、たＵＳＢ ＴＹＰＥ−Ａ型やＵＳＢ ＴＹＰＥ−ｍｉｎｉＢ型、ＩＥＥＥ１３９４に対応したプラグ形状を有している場合について示したが、本具体例はこれに限定されるものではなく、外部機器２００に適用されるインターフェース規格に対応したものであれば、他のプラグ形状を有するものであってもよい。
【００４０】
＜第２の実施形態＞
次に、本発明に係る電子機器の第２の実施形態について説明する。
図６は、第２の実施形態に係る電子機器の一具体例を示す構成図である。図６（ａ）は、電子機器の機器本体を示す平面図であり、図６（ｂ）は、電子機器のコネクタ部を示す平面図であり、図６（ｃ）は、機器本体へのコネクタ部の装着方法を示す斜視図である。また、図６（ｄ）、（ｅ）は、コネクタ部の装着状態を示す斜視図及び平面図である。ここで、上述した第１の実施形態の各具体例と同等の構成については説明を簡略化する。
【００４１】
第２の実施形態に係る電子機器においては、例えば図６（ａ）、（ｃ）に示すように、機器本体１１０は、本体ケース１１１に設けられたスライド溝１１３の内面に、少なくとも通信Ｉ／Ｆ回路６０のアンテナ接続端子１１２ｊが露出した構成を有している。
【００４２】
また、コネクタ部１２０は、例えば図６（ｂ）、（ｃ）に示すように、コネクタ本体１２１の一面側に、少なくともアンテナ接続端子１２２ｊが露出した構成を有している。また、コネクタ本体１２１の内部には、接続端子１２２に電気的に接続されたアンテナ素子（例えばラインアンテナ；機能部）１２４が設けられている。ここで、アンテナ素子１２４は、少なくとも電子機器１００と外部機器２００との間で、無線通信によりデータ伝送を行うためのものであって、その無線通信方式としては、例えばブルートゥース（Bluetooth（登録商標））通信やワイファイ（WiFi；wireless fidelity（登録商標））通信、携帯電話回線網を利用した高速モバイル通信等の、汎用の無線通信規格が適用される。
【００４３】
このような構成を有する電子機器１００において、例えば図６（ｃ）〜（ｅ）に示すように、ユーザが機器本体１１０のスライド溝１１３にコネクタ部１２０を装着することにより、コネクタ部１２０のアンテナ接続端子１２２ｊと機器本体１１０のアンテナ接続端子１１２ｊが１対１の関係で接触して、機器本体１１０の内部回路とコネクタ部１２０のアンテナ素子１２４とが電気的に接続された状態となる。したがって、機器本体１１０にコネクタ部１２０を装着する簡易な構成及び操作により、無線通信における汎用のインターフェース規格を有する外部機器２００に対して電子機器１００を無線接続することができ、両者間でデータ伝送を良好に行うことができる。
【００４４】
また、このような構成を有する電子機器１００においては、機器本体１１０のスライド溝１１３の内面に、無線通信用のアンテナ接続端子１１２ｊに加え、例えば上述した第１の実施形態の各具体例と同様の配置及び機能を有する接続端子（１１２ａ〜１１２ｉ）を設けた構成を適用することもできる。これによれば、第１の実施形態に示したＵＳＢ ＴＹＰＥ−Ａ型やＵＳＢ ＴＹＰＥ−ｍｉｎｉＢ型、ＩＥＥＥ１３９４に対応したプラグ形状のプラグ部１２３を有するコネクタ部１２０に交換して装着し直すことにより、無線通信だけでなく、有線通信における他のインターフェース規格を有する外部機器２００に対しても電子機器１００を直接接続して、両者間でデータ伝送や給電（充電）を良好に行うことができる。
【００４５】
＜第３の実施形態＞
次に、本発明に係る電子機器の第３の実施形態について説明する。
図７は、第３の実施形態に係る電子機器を説明するための図である。図７（ａ）は、電子機器の第１の具体例の要部を示す概略構成図であり、図７（ｂ）は、第１の具体例におけるコネクタ部の認識機能を説明するための図であり、図７（ｃ）は、電子機器の第２の具体例の要部を示す概略構成図であり、図７（ｄ）は、第２の具体例におけるコネクタ部の認識機能を説明するための図である。図８は、第２の具体例におけるコネクタ部の認識処理及び入出力ポートの切替処理を説明するための概略構成図である。図９は、第２の具体例に係る電子機器におけるコネクタ部の装着、スライド状態の例（第１〜第４の例）を示す概略図である。ここで、上述した各実施形態と同等の構成については説明を簡略化する。
【００４６】
（第１の具体例）
第３の実施形態の第１の具体例に係る電子機器においては、例えば図７（ａ）に示すように、機器本体１１０は、本体ケース１１１に設けられたスライド溝１１３の内面に、内部回路に電気的に接続された主接続端子１１２Ｘ及び認識用端子（第３の端子群）１１５が露出した構成を有している。主接続端子１１２Ｘは、通信用接続端子及び給電用接続端子を含む６個の接続端子（図中、「１」〜「６」で表記）を有している。また、認識用端子１１５は、機器本体１１０に装着されるコネクタ部１２０の種類を認識（識別）するための５個の接続端子（図中、「ａ」〜「ｅ」で表記）を有している。
【００４７】
また、コネクタ部１２０は、コネクタ本体１２１の一面側であって、機器本体１１０側に露出する主接続端子１１２Ｘに対応する位置に、通信用及び給電用の接続端子が露出し、また、認識用端子１１５に対応する位置に、認識用端子（第４の端子群）が露出した構成を有している。ここで、コネクタ部１２０に露出する通信用及び給電用の接続端子や、認識用端子の数や配置は、機器本体１１０に装着可能とされるコネクタ部１２０の種類の数に応じて設定されている。
【００４８】
本具体例においては、例えば図７（ｂ）に示すように、機器本体１１０において、コネクタ部１２０を装着、又は、装着してスライドした際の、５個の接続端子ａ〜ｅからなる認識用端子１１５とコネクタ部１２０の認識用端子との接続状態（接続、非接続の組み合わせ）に応じて、機器本体１１０内のＣＰＵ４０によりコネクタ部１２０の種類の認識処理が実行される。そして、この認識処理の結果に基づいてＣＰＵ４０の入出力ポートの切替えが行われる。すなわち、コネクタ部１２０の種類に応じて、主接続端子１１２Ｘの６個の接続端子１〜６がそれぞれＣＰＵ４０の所定の入出力ポートに切り替えられて、装着されたコネクタ部１２０の通信用及び給電用の接続端子が、それぞれ主接続端子１１２Ｘの各接続端子１〜６を介して、所定の入出力ポートに電気的に接続される。あるいは、主接続端子１１２Ｘの接続端子１〜６のいずれかが非接続状態（NC）に設定される。
【００４９】
（第２の具体例）
本実施形態の第２の具体例に係る電子機器においては、例えば図７（ｃ）に示すように、機器本体１１０は、本体ケース１１１に設けられたスライド溝１１３の内面に、内部回路に電気的に接続された、９個の接続端子（図中、「１」〜「９」で表記）からなる主接続端子１１２Ｘと、３個の接続端子（図中、「ａ」〜「ｃ」で表記）からなる認識用端子１１５とが露出した構成を有している。第１の具体例と同様に、主接続端子１１２Ｘは、通信用接続端子及び給電用接続端子を含むものであり、認識用端子１１５は、コネクタ部１２０の種類を認識（識別）するためのものである。また、コネクタ部１２０は、第１の具体例と同様に、機器本体１１０側に露出する主接続端子１１２Ｘに対応する位置に、通信用及び給電用の接続端子が露出し、また、認識用端子１１５に対応する位置に、認識用端子が露出した構成を有している。
【００５０】
本具体例においても、上述した第１の具体例と同様に、例えば図７（ｄ）に示すように、機器本体１１０において、コネクタ部１２０を装着、又は、装着してスライドした際の、３個の接続端子ａ〜ｃからなる認識用端子１１５とコネクタ部１２０の認識用端子との接続状態（接続、非接続の組み合わせ）に応じて、例えば図８に示すようなＣＰＵ４０によりコネクタ部１２０の種類の認識処理が実行される。そして、その認識結果に基づいてＣＰＵ４０の入出力ポートの切替えが行われる。これにより、コネクタ部１２０の種類に応じて、主接続端子１１２Ｘの９個の接続端子１〜９がそれぞれＣＰＵ４０の所定の入出力ポートに切り替えられて、コネクタ部１２０の通信用及び給電用の接続端子がそれぞれ所定の入出力ポートに電気的に接続される。あるいは、主接続端子１１２Ｘの接続端子１〜９のいずれかが非接続状態（NC）に設定される。以下、具体的に説明する。
【００５１】
例えば図９（ａ）に示すように、コネクタ部１２０がＵＳＢ ＴＹＰＥ−Ａ型に対応したプラグ部１２３を有する第１の例においては、図７（ｃ）に示す機器本体１１０の主接続端子１１２Ｘのうち、２個の接続端子２、３に対応するように、コネクタ本体１２１に通信用の接続端子１２２が露出するように設けられ、２個の接続端子１、６に対応するように、コネクタ本体１２１に給電用の接続端子１２２が露出するように設けられている。また、機器本体１１０の認識用端子１１５のうち、１個の接続端子ｃに対応するように、コネクタ本体１２１に認識用端子１２５が露出するように設けられている。
【００５２】
そして、図９（ｂ）に示すように、機器本体１１０にコネクタ部１２０を装着してスライドさせることにより、機器本体１１０の接続端子ｃとコネクタ部１２０の認識用端子１２５とが接続状態になる。これにより、図７（ｄ）に示すように、機器本体１１０内のＣＰＵ４０においてコネクタ部１２０の種類（ＵＳＢ ＴＹＰＥ−Ａ型）が認識されて、図８に示す分配回路４１により主接続端子１１２Ｘの各接続端子１〜９とＣＰＵ４０の各入出力ポートとの接続が切替えられる。具体的には、図７（ｄ）に示すように、主接続端子１１２Ｘの２個の接続端子２、３がそれぞれデータ通信用ポート（D-、D+）に接続され、２個の接続端子１、６がそれぞれ給電用ポート（Vbus、GND）に接続される。また、５個の接続端子４、５及び７〜９が非接続状態（NC）に設定される。したがって、コネクタ部１２０の通信用の接続端子１２２が機器本体１１０の主接続端子１１２Ｘの接続端子２、３を介してデータ通信用ポート（D-、D+）に接続され、コネクタ部１２０の給電用の接続端子１２２が主接続端子１１２Ｘの接続端子１、６を介して給電用ポート（Vbus、GND）に接続される。
【００５３】
そして、図７（ｄ）及び図９（ｃ）〜（ｈ）に示すように、コネクタ部１２０がＵＳＢ ＴＹＰＥ−ｍｉｎｉＢ型に対応したプラグ部１２３を有する場合（第２の例）や、ＩＥＥＥ１３９４に対応したプラグ形状のプラグ部１２３を有する場合（第３の例）、無線通信用のアンテナ素子を内蔵する場合（第４の例）、ＵＳＢ ３．０型に対応したプラグ部１２３を有する場合（第５の例）、ＲＳ２３２Ｃに対応したプラグ形状のプラグ部１２３を有する場合（第６の例）等においても、上述した第１の例と同様の概念を適用することができる。これにより、コネクタ部１２０に設けられた認識用端子１２５の数や配置に基づいて、機器本体１１０内のＣＰＵ４０によりコネクタ部１２０の種類が認識されて、主接続端子１１２Ｘの各接続端子とＣＰＵ４０の入出力ポートとの接続関係が切り替え制御される。
【００５４】
このように、本実施形態に係る各具体例においては、認識用端子を用いて機器本体１１０に装着されたコネクタ部１２０の種類を認識して、機器本体１１０に設けられた所定数の接続端子の機能を切り替えることができるので、機器本体１１０の内部回路とコネクタ部１２０のプラグ部１２３又はアンテナ素子等の機能部とが良好に電気的に接続される。したがって、機器本体１１０に装着されるコネクタ部１２０が複数種類ある場合であっても、機器本体１１０及びコネクタ部１２０に設けられる接続端子の数の増加を抑制することができる。また、この場合においても、上述した各実施形態と同様に、通信ケーブル等を使用することなく簡易な構成で、電子機器１００と外部機器２００との間のデータ伝送や給電（充電）を良好に行うことができる。
【００５５】
＜第４の実施形態＞
次に、本発明に係る電子機器の第４の実施形態について説明する。
図１０は、第４の実施形態に係る電子機器の一具体例を示す構成図である。図１０（ａ）は、電子機器の機器本体を示す平面図であり、図１０（ｂ）は、電子機器のコネクタ部を示す斜視図であり、図１０（ｃ）は、電子機器のコネクタ部を示す平面図及び側面図であり、図１０（ｃ）は、電子機器のコネクタ部を示す断面図である。また、図１０（ｅ）は、コネクタ部の装着状態を示す平面図であり、図１０（ｆ）は、コネクタ部のスライド状態を示す平面図及び側面図である。また、図１１は、本実施形態に係る電子機器に適用されるコネクタ部のスライド機構の一例を示す概略構成図である。図１１（ａ）は、コネクタ部の装着状態を示す平面図であり、図１１（ｂ）は、コネクタ部の装着状態を示す断面図であり、図１１（ｃ）は、コネクタ部の装着状態を示す要部詳細図である。また、図１１（ｄ）は、コネクタ部のスライド状態を示す平面図及び側面図であり、図１１（ｅ）は、コネクタ部のスライド状態を示す断面図である。図１２は、本実施形態に係る電子機器に適用される接続端子構造の一例を示す構成図である。ここで、上述した各実施形態と同等の構成については説明を簡略化する。
【００５６】
第４の実施形態に係る電子機器は、例えば図１０（ａ）、（ｂ）に示すように、上述した各実施形態と同等の構成を有する機器本体１１０と、機器本体１１０のスライド溝１１３に対して着脱可能に構成され、外部機器２００に直接接続される薄型の構造を有するコネクタ部１２０と、を有している。
【００５７】
機器本体１１０は、例えば図１０（ａ）に示すように、本体ケース１１１に設けられたスライド溝１１３の内面に、少なくとも複数の接続端子１１２（１１２ａ〜１１２ｄ）が露出した構成を有している。また、機器本体１１０のスライド溝１１３内には、スライド溝１１３の延在方向（図面上下方向）に沿って、溝内に突出するガイド部１１７が設けられている（スライド機構、脱落防止機構）。また、機器本体１１０のコネクタ部突出側（図面上方側）のガイド部１１７には、後述するコネクタ部１２０のスライド状態の終端位置を確定するためのストッパ凸部１１７ｓが設けられ、一方、機器本体１１０のコネクタ突出側とは反対側（図面下方側）のスライド溝１１３内には、コネクタ部１２０のスライド状態の始端位置（又は、装着位置）を確定するためのストッパ凹部１１８が設けられている（脱落防止機構）。
【００５８】
コネクタ部１２０は、例えば図１０（ｂ）、（ｃ）に示すように、概略、平板状の絶縁性部材からなるコネクタ本体１２１の一面側に、棒状の接続端子１２６が露出するように設けられている。ここで、接続端子１２６は、例えば通信用接続端子１２６ｂ、１２６ｃ、及び、給電用接続端子１２６ａ、１２６ｄの４端子からなり、それぞれコネクタ本体１２１の長手方向（図１０（ｃ）の左右方向）に延在するように平行に配置されている。特に、本実施形態においては、板状のコネクタ本体１２１及び接続端子１２６がＵＳＢ ＴＹＰＥ−Ａ型のプラグの内部に設けられる基板及び端子電極と同等の寸法及び配置を有し（図４（ｃ）参照）、コネクタ部１２０が概略、ＵＳＢ ＴＹＰＥ−Ａ型のプラグの金属シェルを省いた形状を有している。また、コネクタ本体１２１の長手方向の両側面には、機器本体１１０のスライド溝１１３内に突出するガイド部１１７に係合するガイド溝１２７が設けられている（スライド機構、脱落防止機構）。また、例えば図１０（ｄ）に示すように、コネクタ本体１２１のガイド溝１２７内には、ストッパ凸部１２７ｓが設けられている。ストッパ凸部１２７ｓは、図１１（ｄ）、（ｅ）に示すように、機器本体１１０のガイド部１１７に設けられたストッパ凸部１１７ｓに当接して、コネクタ部１２０のスライド状態の終端位置を確定するとともに、コネクタ部１２０のスライド溝１１３からの脱落を防止する。また、コネクタ本体１２１の一面側には、ストッパ凸部１２８が設けられている。ストッパ凸部１２８は、図１１（ａ）〜（ｃ）に示すように、機器本体１１０のスライド溝１１３内に設けられたストッパ凹部１１８に係止して、コネクタ部１２０のスライド状態の始端位置（又は、装着位置）を確定するとともに、コネクタ部１２０のスライド溝１１３からの脱落を防止する（脱落防止機構）。ここで、ストッパ凸部１２８は、例えば図１０（ｂ）、図１１（ｃ）に示すように、板バネ等の弾性部材を適用して、コネクタ本体１２１の一面側に弾性的に突出した構成を有している。これにより、コネクタ部１２０がスライド溝１１３の延在方向に沿ってスムーズにスライドするとともに、コネクタ部１２０がスライド溝１１３から脱落しないように保持される。
【００５９】
このような構成を有する電子機器１００において、上述した各実施形態と同様に、図１０（ｅ）に示すように、ユーザが機器本体１１０のスライド溝１１３にコネクタ部１２０を装着し、図１０（ｆ）に示すように、コネクタ部１２０をスライド溝１１３内の終端位置までスライドさせる。これにより、コネクタ部１２０の接続端子１２６が機器本体１１０の端部から突出するとともに、コネクタ部１２０の各接続端子１２６と機器本体１１０の各接続端子１１２が１対１の関係で接触して、機器本体１１０の内部回路とコネクタ部１２０の接続端子１２６とが電気的に接続された状態となる。そして、ユーザが、機器本体１１０の端部から突出したコネクタ部１２０を、外部機器２００のＵＳＢ ＴＹＰＥ−Ａ型のプラグ挿入部２１０に直接挿入して接続することにより、通信ケーブル等を使用することなく簡易な構成で、電子機器１００と外部機器２００との間のデータ伝送や給電（充電）を良好に行うことができる。
【００６０】
特に、本実施形態においては、コネクタ部１２０がＵＳＢ ＴＹＰＥ−Ａ型のプラグの金属シェルを省いた形状を有しているので、通常のＵＳＢ ＴＹＰＥ−Ａ型のプラグ形状を有する場合（例えば図２参照）に比較して、コネクタ部１２０を薄型化することができるとともに、コネクタ部１２０が装着される機器本体１１０の厚みも薄くすることができる。
【００６１】
なお、機器本体１１０のスライド溝１１３の内面に露出する接続端子１１２は、例えば図１２に示すような端子構造を適用することができる。具体的には、接続端子１１２がスライド溝１１３の内面から電極の一部が弾性的に突出する構成を有する場合には、例えば図１２（ａ）に示すように、接続端子１１２を構成する端子ピンが、コイルスプリング１３１により常時機器本体１１０の外部方向（すなわち、スライド溝１１３方向；図面下方）に付勢される。また、接続端子１１２を構成する端子ピンと本体ケース１１１との間には、防水用のゴム製のパッキン（例えばＯリング）１３２が両者に密着するように組み込まれている。
【００６２】
これにより、コネクタ部１２０が機器本体１１０に装着されていない状態や、装着されたコネクタ部１２０がスライドされていない状態（始端位置に装着され、外部機器２００と接続されていない状態）においては、図１２（ａ）に示すように、接続端子１１２（１１２ａ〜１１２ｄ）のスライド溝１１３側（図面下方）の端部が、スライド溝１１３内に突出して露出する。また、このとき、機器本体１１０の内部側（図面上方）の接続端子１１２（１１２ａ〜１１２ｄ）の端部１１２ｔは、機器本体１１０の内部回路（図示を省略）に接続された本体接点プレート１３３から離間して電気的には接続されていない。
【００６３】
したがって、コネクタ部１２０が装着されていない状態やスライドされていない状態のように、電子機器１００が外部機器２００に接続されていない状態においては、機器本体１１０に露出する接続端子１１２は、内部回路に電気的に接続されていないので、接続端子１１２の短絡等による内部回路の電気的な損傷等を防止することができる。また、接続端子１１２は、防水構造を有しているので、外部から機器本体１１０の内部への水分の侵入が防止され、電子機器１００の防水性を確保することができる。
【００６４】
一方、コネクタ部１２０が機器本体１１０に装着されてスライドされた状態（終端位置までスライドし、外部機器２００と接続可能な状態）においては、図１２（ｂ）に示すように、接続端子１１２（１１２ａ〜１１２ｄ）のスライド溝１１３側（図面下方）の端部が、コネクタ部１２０の接続端子１２６（１２６ａ〜１２６ｄ）に押圧されながら接触する。また、このとき、接続端子１１２（１１２ａ〜１１２ｄ）がコイルスプリング１３１の付勢力に反して、機器本体１１０の内部方向（図面上方）に押し込まれることにより、接続端子１１２の端部１１２ｔが本体接点プレート１３３に接触して電気的に接続される。これにより、コネクタ部１２０の接続端子１２６と、機器本体１１０の内部回路とが電気的に接続される。
なお、図１１に示したコネクタ部のスライド機構、及び、図１２に示したような接続端子の端子構造は、本実施形態に限定されるものではなく、上述した各実施形態に示した電子機器１００（機器本体１１０及びコネクタ部１２０）に適用することができるものである。
【００６５】
（変形例）
図１３は、本実施形態に係る電子機器の変形例を示す構成図である。図１３（ａ）は、電子機器のコネクタ部を示す斜視図であり、図１３（ｂ）は、電子機器のコネクタ部を示す平面図及び側面図であり、図１３（ｃ）は、外部機器のプラグ挿入部の一例を示す平面図及び断面図である。また、図１３（ｄ）は、コネクタ部とプラグ挿入部との接続状態を示す平面図及び断面図である。ここで、上述した各実施形態と同等の構成については説明を簡略化する。
【００６６】
本実施形態の変形例に係る電子機器においては、機器本体１１０は、上述した具体例（図１０（ａ）参照）と同等の構成を有し、スライド溝１１３の内面に、接続端子１１２が露出した構成を有している。コネクタ部１２０は、例えば図１３（ａ）、（ｂ）に示すように、上述した具体例（図１０（ｂ）〜（ｄ）参照）に示した構成において、接続端子１２６が配置されたコネクタ本体１２１の一面側に、コネクタ本体１２１の長手方向の両側面に沿って、一対の逆挿し防止突起（突起部）１２９が突出して設けられた構成を有している。具体的には、例えば図１３（ｃ）、（ｄ）に示すように、外部機器がＵＳＢ ＴＹＰＥ−Ａ型のプラグ挿入部２１０を有する場合には、コネクタ部をプラグ挿入部２１０に挿入した際に、コネクタ本体１２１の接続端子１２６が配置された面と一対の逆挿し防止突起１２９とによりプラグ挿入部２１０内のソケット基板２１１に３面で当接する形状を有している。図１３（ａ）、（ｂ）においては、コネクタ本体１２１の長手方向の両側面近傍に、それぞれ逆挿し防止突起１２９が突出して設けられた構成を示す。ここで、逆挿し防止突起１２９の形状や寸法、配置は、プラグ挿入部２１０内のソケット基板２１１の形状や幅に対応して設定されるものであり、例えば一対の逆挿し防止突起１２９間の寸法はソケット基板２１１の幅よりも僅かに大きく設定されている。
【００６７】
このような構成を有する電子機器１００において、上述した各実施形態と同様にユーザが機器本体１１０のスライド溝１１３にコネクタ部１２０を装着し、スライド溝１１３内の終端位置までスライドさせる。これにより、コネクタ部１２０の接続端子１２６が機器本体１１０の端部から突出するとともに、コネクタ部１２０の各接続端子１２６が機器本体１１０の各接続端子１１２を介して、機器本体１１０の内部回路に電気的に接続される。そして、図１３（ｄ）に示すように、ユーザが、機器本体１１０の端部から突出したコネクタ部１２０を、外部機器２００のＵＳＢ ＴＹＰＥ−Ａ型のプラグ挿入部２１０に直接挿入して接続する。このとき、コネクタ本体１２１の接続端子１２６が配置された面と逆挿し防止突起１２９とにより、コネクタ部１２０はプラグ挿入部２１０内のソケット基板２１１を３方向から（断面コの字型に）囲んだ状態で、ソケット基板２１１に沿ってプラグ挿入部２１０に挿入される。すなわち、図１３（ｄ）に示すように、コネクタ部１２０を正規の方向に挿入した場合にはコネクタ部１２０の逆挿し防止突起１２９が、プラグ挿入部２１０内のソケット基板２１１の両側面と金属シェル２１２との間の空間に入り込むことより、コネクタ部１２０が正常な向きに挿入される。一方、コネクタ部１２０を正規の方向とは逆向きに（表裏を逆にした状態で）挿入しようとした場合にはコネクタ部１２０の逆挿し防止突起１２９がプラグ挿入部２１０の金属シェル２１２に干渉して、コネクタ部１２０はプラグ挿入部２１０に挿入できない。これにより、通信ケーブル等を使用することなく簡易な構成で、コネクタ部１２０の逆挿しを防止して電子機器１００と外部機器２００とを正常に接続することができ、両者間のデータ伝送や給電（充電）を良好に行うことができる。
【００６８】
なお、本変形例においては、図１３（ｄ）に示したように、コネクタ本体１２１の両側面近傍にそれぞれ逆挿し防止突起１２９を設けて、プラグ挿入部２１０内のソケット基板２１１を３方向から断面コの字状に囲んだ状態で、コネクタ部１２０をプラグ挿入部２１０に挿入する場合について説明した。本実施形態はこれに限定されるものではなく、薄型化されたコネクタ部１２０の逆挿しを防止できるものであれば、他の構成を有するものであってもよい。例えばコネクタ本体１２１の一側面近傍にのみ逆挿し防止突起１２９を設けて、プラグ挿入部２１０内のソケット基板２１１を２方向から断面Ｌ字状に囲んだ状態で、コネクタ部１２０をプラグ挿入部２１０に挿入するものであってもよい。
【００６９】
また、本実施形態においては、コネクタ部１２０の薄型化や逆挿し防止構造について、ＵＳＢ ＴＹＰＥ−Ａ型のプラグに適用した場合について説明したが、他の汎用のインターフェース規格に適用するものであってもよい。その場合、特に本変形例においては、上述したように、コネクタ本体１２１に設けられる逆挿し防止突起１２９は、適用するインターフェース規格のプラグ挿入部２１０内のソケット基板２１１に対応して、その形状や寸法、配置が設定される。したがって、インターフェース規格に応じてプラグ挿入部２１０とコネクタ部１２０との関係が１対１に特定されるので、同一のインターフェース規格におけるコネクタ部１２０の逆挿しを防止するだけでなく、異なるインターフェース規格におけるコネクタ部１２０の誤接続（誤挿入）を防止することもできる。
【００７０】
なお、上述した各実施形態においては、有線通信における汎用のインターフェース規格のプラグ形状としてコネクタ本体１２１の一面側にのみ接続端子が配置された端子構造を有するコネクタ部１２０を示したが、本発明はこれに限定されるものではなく、コネクタ本体１２１の一面側及び他面側（すなわち、裏表両面）に接続端子が配置された端子構造を有するものであってもよい。
【００７１】
また、上述した各実施形態においては、電子機器１００と外部機器２００とを接続する際（本実施形態においては電子機器１００によりセンサデータを収集した後）に、コネクタ部１２０を装着、又は、装着してスライドさせる場合について説明した。本発明はこれに限定されるものではなく、予め機器本体１１０に所定の汎用のインターフェース規格に対応したコネクタ部１２０を装着した状態（初端位置であって、コネクタ部１２０のプラグが機器本体１１０から突出していない状態）でセンサデータを収集するものであってもよい。
【００７２】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００７３】
（付記）
［１］
外面に特定方向に延在して設けられた溝部を有し、内部に内部回路を有する機器本体と、
前記機器本体の前記溝部に対して着脱可能に構成されたコネクタ部と、
を備え、
前記コネクタ部は、外部機器に接続するための機能部と、前記機能部に接続された第１の端子群と、を有し、
前記機器本体は、前記溝部の内面に露出し、前記溝部に装着される前記コネクタ部の前記第１の端子群に接触して、前記機能部と前記内部回路とを電気的に接続する前記第２の端子群を有することを特徴とする電子機器。
【００７４】
［２］
前記機能部は、互いに異なる複数の種類の汎用のインターフェース規格の何れかに対応し、
前記コネクタ部は、前記機能部が対応する前記汎用のインターフェース規格の種類を示す第３の端子群を有し、
前記機器本体は、前記溝部の内面に露出し、前記溝部に装着される前記コネクタ部の前記第３の端子群に接触して、前記機能部の前記種類を認識するための第４の端子群を有し、
前記機器本体は、前記第３の端子群と前記第４の端子群との接触状態に基づいて前記機能部の前記種類を認識して、前記機能部の前記種類に応じて、前記第１の端子群と前記内部回路との接続関係を切り替えることを特徴とする[１]に記載の電子機器。
【００７５】
［３］
互いに異なる種類の前記機能部を１つの前記コネクタ部に有し、前記コネクタ部の前記機器本体に対する装着状態に応じて前記複数の機能部を使い分けることを特徴とする［１］又は［２］に記載の電子機器。
【００７６】
［４］
前記コネクタ部の前記機能部は、有線通信における互いに異なる複数の種類の汎用のインターフェース規格の何れかに対応したプラグ部を有し、
前記コネクタ部を前記溝部に装着して、前記コネクタ部を前記溝部の前記特定方向に沿ってスライドさせることにより、前記機器本体から前記プラグ部を突出させて、突出させた前記プラグ部を前記外部機器に挿入して、前記外部機器と直接接続することを特徴とする［１］乃至［３］のいずれかに記載の電子機器。
【００７７】
［５］
前記コネクタ部の前記機能部は、無線通信における互いに異なる複数の種類の汎用のインターフェース規格の何れかに対応したアンテナ素子を有し、
前記コネクタ部を前記溝部に装着することにより、対応する前記汎用のインターフェース規格の無線通信方式で前記外部機器と接続することを特徴とする［１］乃至［３］のいずれかに記載の電子機器。
【００７８】
［６］
前記コネクタ部の前記機能部は、有線通信における互いに異なる複数の種類の汎用のインターフェース規格の何れかに対応して、板状の絶縁性部材の一面側に前記第１の端子群が露出して配置された構成を有し、
前記コネクタ部を前記溝部に装着して、前記コネクタ部を前記溝部の前記特定方向に沿ってスライドさせることにより、前記機器本体から前記機能部を突出させて、突出させた前記機能部を前記外部機器に挿入して、前記外部機器と直接接続することを特徴とする［１］乃至［３］のいずれかに記載の電子機器。
【００７９】
［７］
前記コネクタ部は、前記板状の絶縁性部材の所定の位置に設けられた突起部を有し、
前記突起部は、前記コネクタ部の前記機能部を前記外部機器に挿入する際に、前記コネクタ部を正規の方向ではない向きに挿入できなくする形状及び寸法に設定されていることを特徴とする［６］に記載の電子機器。
【符号の説明】
【００８０】
４０      ＣＰＵ
６０      通信Ｉ／Ｆ回路
９０      充電Ｉ／Ｆ回路
１００    電子機器
１１０    機器本体
１１１    本体ケース
１１２    接続端子
１１３    スライド溝
１１５    認識用端子
１２０    コネクタ部
１２１    コネクタ本体
１２２、１２６    接続端子
１２３    プラグ部
１２４    アンテナ素子
１２５    認識用端子
１２９    逆挿し防止突起
２００    外部機器
２１０    プラグ挿入部
【図１】
0006323712.tif 000002
【図２】
0006323712.tif 000003
【図３】
0006323712.tif 000004
【図４】
0006323712.tif 000005
【図５】
0006323712.tif 000006
【図６】
0006323712.tif 000007
【図７】
0006323712.tif 000008
【図８】
0006323712.tif 000009
【図９】
0006323712.tif 000010
【図１０】
0006323712.tif 000011
【図１１】
0006323712.tif 000012
【図１２】
0006323712.tif 000013
【図１３】
0006323712.tif 000014